(57)【要約】【課題】  裏番組の視聴をリモコン上で行なうと共にリモコンにスタンド機能を設ける。【解決手段】  地上デジタル放送を受信するテレビを遠隔操作する遠隔操作手段と、地上デジタル放送のワンセグ放送を受信するワンセグ放送受信手段と、該ワンセグ放送受信手段で受信した番組を表示する表示手段とを設けると共に、受信アンテナにスタンド機能を持たせた。【選択図】        図１
2008113263.tif 000002
【特許請求の範囲】
【請求項１】
被制御機器を遠隔操作する遠隔操作手段と、
受信アンテナを含む放送受信手段と、
該放送受信手段で受信した放送を表示する表示手段と、
を具備したリモコン装置であって、
前記受信アンテナは、リモコン装置本体に回動可能に取り付けられていることを特徴とするリモコン装置。
【請求項２】
請求項１に記載のリモコン装置において、
前記受信アンテナは、リモコン装置本体に対して最も上になるように回動させた場合、リモコン本体の上端とアンテナとの間に所定の空間が生じることを特徴とするリモコン装置。
【請求項３】
請求項１または請求項２に記載のリモコン装置において、
前記受信アンテナは、接合手段を介してリモコン装置本体と接合されており、該接合手段は、リモコン装置本体の中央部に設けられていることを特徴とするリモコン装置。
【請求項４】
請求項３に記載のリモコン装置において、
前記受信アンテナは、前記接合手段に対してループを描く形状であることを特徴とするリモコン装置。
【請求項５】
請求項１乃至請求項４の何れかに記載のリモコン装置において、
前記受信アンテナは、長さが伸縮可能であることを特徴とするリモコン装置。
【請求項６】
少なくとも地上デジタル放送を受信する機能を有した被制御機器を遠隔操作する遠隔操作手段と、
地上デジタル放送のワンセグ放送を受信するアンテナを含むワンセグ放送受信手段と、
該ワンセグ放送受信手段で受信した放送を表示する表示手段と、
を具備したリモコン装置であって、
前記受信アンテナは、リモコン装置本体に回動可能に取り付けられていることを特徴とするリモコン装置。
【請求項７】
請求項６に記載のリモコン装置において、
前記受信アンテナは、リモコン装置本体に対して最も上になるように回動させた場合、リモコン本体の上端とアンテナとの間に所定の空間が生じることを特徴とするリモコン装置。
【請求項８】
請求項６または請求項７に記載のリモコン装置において、
前記受信アンテナは、接合手段を介してリモコン装置本体と接合されており、該接合手段は、リモコン装置本体の中央部に設けられていることを特徴とするリモコン装置。
【請求項９】
請求項８に記載のリモコン装置において、
前記受信アンテナは、前記接合手段に対してループを描く形状であることを特徴とするリモコン装置。
【請求項１０】
請求項６乃至請求項９の何れかに記載のリモコン装置において、
前記受信アンテナは、長さが伸縮可能であることを特徴とするリモコン装置。
【発明の詳細な説明】
【技術分野】
【０００１】
本発明は、テレビ受信機の操作を離れた場所から行なうリモコン装置に係り、特に、所謂裏番組の視聴をリモコン上で行なうと共にリモコンにスタンドを設けるものである。
【背景技術】
【０００２】
テレビ受信機の操作を行うリモコン装置に表示部を設け、かかる表示部にテレビ放送の映像を表示するものが特許文献１などに開示されている。また、スタンド付のリモコンは、特許文献２に開示されている。
【特許文献１】特開２００２−１５８８８８号公報
【特許文献２】実開昭６３−１０８２８７号公報
【発明の開示】
【発明が解決しようとする課題】
【０００３】
特許文献１に開示された装置では、テレビ受信機に２つのチューナを設け、第一のチューナで受信した番組はテレビ受信機に表示し、第二のチューナで受信した番組は再度変調をして、リモコン装置に送信される。リモコン装置では、かかる変調された信号を受信し、復調して、リモコン装置に設けられた表示部に番組を表示する。
【０００４】
かかる特許文献１に記載された装置では、特定のテレビ受信機と特定のリモコン装置が組になって初めてその機能が発揮される。即ち、テレビ受信機に「受信した番組を再度変調してリモコン装置に送信する」という機能が無ければ、特許文献１に記載された発明は成立しないという課題がある。
【０００５】
本発明は、かかる課題を鑑み、テレビ受信機の機能によらず、リモコン装置単体の機能において、リモコン装置に設けられた表示部にテレビ番組の表示を行なう機能を有したリモコン装置を提供するものである。
【０００６】
また、特許文献２に開示されたリモコンでは、スタンドのための部材を別途設ける必要があるという課題がある。
【０００７】
本発明は、スタンドのために別途新たな部材を設けることなく、スタンド機能を有したリモコンを提供するものである。
【０００８】
尚、西暦２０１１年には、地上波テレビ放送はデジタル放送に完全移行する予定となっていることから、本発明での「テレビ受信機」とは、少なくとも地上デジタル放送を受信できる機能を有したテレビ受信機を想定している。
【課題を解決するための手段】
【０００９】
上記課題を解決するため、本発明は以下のような手段を講じた。
【００１０】
即ち、本発明にかかるリモコン装置は、被制御機器を遠隔操作する遠隔操作手段と、アンテナを含む放送受信手段と、該放送受信手段で受信した放送を表示する表示手段とを具備し、前記受信アンテナをリモコン装置本体に回動可能に取り付けていることを特徴とするものである。
【００１１】
より具体的には、少なくとも地上デジタル放送を受信する機能を有した被制御機器を遠隔操作する遠隔操作手段と、地上デジタル放送のワンセグ放送を受信するアンテナを含むワンセグ放送受信手段と、該ワンセグ放送受信手段で受信した放送を表示する表示手段とを具備し、前記受信アンテナをリモコン装置本体に回動可能に取り付けていることを特徴とするものである。
【００１２】
ここで、前記受信アンテナは、リモコン装置本体に対して最も上になるように回動させた場合、リモコン本体の上端とアンテナとの間に所定の空間が生じることが望ましい。
【００１３】
また、前記受信アンテナは、接合手段を介してリモコン装置本体と接合されており、該接合手段は、リモコン装置本体の中央部に設けられていることが望ましい。
【００１４】
更に、前記受信アンテナは、前記接合手段に対してループを描く形状であることが望ましい。
【００１５】
加えて、前記受信アンテナは、長さが伸縮可能であることが望ましい。
【発明の効果】
【００１６】
本発明によれば、リモコン装置に設けられた表示部にテレビ番組を表示することができる。また、受信アンテナをスタンドとして使用することかできる。
【発明を実施するための最良の形態】
【００１７】
図１は、本発明の概念図である。
【００１８】
図１において、１０１はテレビ受信機であり、１０２はテレビ受信機に表示された番組の映像であり、１０３はリモコン装置であり、１０４はリモコン装置の表示部であり、１０５は地上デジタル放送の受信アンテナである。
【００１９】
従来の地上アナログ放送やＢＳ放送、ＣＳ放送などでは、その放送を受信するためには、屋外にアンテナを設けなければならなかった（屋内のアンテナでは、受信感度が悪く、視聴に耐えうる映像を得ることは困難であった）。
【００２０】
これに対し、地上デジタル放送の所謂ワンセグ放送では、地上デジタル放送が受信できる地域であれば屋外にアンテナを設置しなくても屋内のアンテナで良好に放送を受信することができる。
【００２１】
そのような状況から、本発明にかかるリモコン装置では、地上デジタル放送のワンセグ放送を受信するためのアンテナとチューナを装備し、かかるチューナで受信した地上デジタル放送の番組の映像を表示部１０４に表示するものである。
【００２２】
尚、地上デジタル放送は、放送する信号を１３のセグメントに分けて伝送する。その内の１２のセグメントを用いて通常の放送を行い、残りの１つのセグメントで移動体などでの受信を想定した放送を行う。この１つのセグメントを用いた放送を通称ワンセグ放送と称している。このワンセグ放送と通常の放送とは原則として同じ番組が放送されている。ワンセグ放送は、移動体での受信を想定しているため、ノイズに強い変調方式が採用されている。そのため、屋内などでも良好な受信感度を得ることができる。
【００２３】
本発明にかかるリモコン装置の実施形態について説明する。
【００２４】
図２は、本発明の第一の実施形態にかかるリモコン装置の外観図であり、（ａ）は正面図、（ｂ）は側面図、（ｃ）は背面図である。
【００２５】
図２において、２０１はリモコン装置本体であり、２０２は表示部であり、２０３は地上デジタル放送のワンセグ放送を受信するためのアンテナ（以下、アンテナという）であり、２０４はサービス選択などのためのテンキーであり、２０５はテレビ受信機能とリモコン機能とを切り換える切り換えスイッチであり、２０６はサービス番号を送信するサービス番号送信ボタンであり、２０７はアンテナ２０３を回動可能に接続する接合部である。
【００２６】
また、図３は、本発明の実施形態にかかるリモコン装置のブロック図である。
【００２７】
図３において、３０１はアンテナであり、３０２は地上デジタル放送のワンセグ放送受信用チューナであり、３０３は受信した放送の映像信号および音声信号を復調、復号をする映像／音声信号処理部であり、３０４は映像信号を表示する映像表示部であり、３０５は音声信号を出力する音声出力部であり、３０６は使用者の操作を入力する操作入力部であり、３０７はリモコン装置全体の制御を司る制御部であり、３０８はリモコンコードなどをテレビ受信機に送信する送信部である。
【００２８】
以下、かかるリモコン装置による操作を場合を分けて説明する。
（１）テレビ受信機の操作をする場合
図１に示したテレビ受信機１０１を操作する場合は、図２に示した切り換えスイッチ２０５をテレビ側に設定する。そして、使用者は、図２に示したテンキー２０４を操作し、視聴を希望するサービス番号を選択する。
【００２９】
このような操作は、図３における操作入力部３０６に対する操作に該当する。制御部３０７は操作入力部３０６の操作に従って、所定のリモコンコードを発生させる。
【００３０】
このリモコンコードは送信部３０８からテレビ受信機１０１に向けて送信され、テレビ受信機はリモコンコードに従ったサービス番号の選択を行なう。
（２）リモコン装置の表示部に番組を表示する場合
図１に示したリモコン装置１０３の表示部１０４に番組を表示する場合は、図２に示した切り換えスイッチ２０５をリモコン側に設定する。
【００３１】
ここで、図３に示したモコン装置のブロック図において、アンテナ３０１で受信された地上デジタル放送のワンセグ放送はチューナ３０２に入力される。使用者が操作入力部３０６（具体的には、図２に示したテンキー２０４）で所望のサービス番号を選択すると、そのサービス番号情報が制御部３０７に入力される。制御部３０７はそのサービス番号情報を基にチューナ３０２で所定の伝送チャンネルを選局するように制御する。チューナ３０２で選局された放送は、映像／音声信号処理部３０３でデマルチプレクス、ＭＰＥＧ復号化などの処理を施され、使用者が選択したサービス番号の番組の映像信号及び音声信号が出力される。映像信号は液晶ディスプレイ、ＥＬディスプレイなどの映像表示部３０４に表示される。また、音声信号はスピーカ、イヤホン（ヘッドホン）出力端子などの音声出力部３０５から出力される。
【００３２】
尚、リモコン装置の表示部にテレビ受信機と異なる番組を表示している場合、リモコン装置から音声が出力されると、テレビ受信機での番組の視聴の妨げになる場合もあるので、音声ミュート機能を備えることが望ましい。
【００３３】
また、リモコン装置１０３の表示部１０４に表示をさせた番組をテレビ受信機１０１で視聴する場合は、操作入力部３０６の操作（具体的には、図２に示したサービス番号送信ボタン２０６）により、リモコン装置に表示しているサービス番号のリモコンコードを送信部３０８からテレビ受信機１０１に向けて送信する。
【００３４】
即ち、例えば、テレビ受信機１０１でサービス番号５６７の番組を視聴しており、リモコン装置１０３でサービス番号３２１の番組を表示していた時に、テレビ受信機１０１の大画面でサービス番号３２１の番組を視聴したいと欲した場合、リモコン装置１０３に設けられたサービス番号送信ボタン２０６を操作することでテレビ受信機１０１に対してサービス番号３２１に対応するリモコンコードが送信され、これにより、テレビ受信機１０１での選局がサービス番号３２１に切り換えられる。
【００３５】
これにより、いちいちサービス番号を入力しなくても、ワンタッチで、リモコン装置に表示している番組のサービス番号をテレビ受信機に送信することができる。
【００３６】
尚、以上の実施形態では、テレビ受信機を被制御機器として制御するリモコン装置として説明してきたが、テレビ受信機に限らず、地上デジタル放送受信用のチューナを搭載したＤＶＤレコーダ、ＨＤＤレコーダなどの録画機器でも同様に適用することができる。
【００３７】
例えば、リモコン装置１０３でサービス番号３２１の番組を表示していた時に、ＤＶＤレコーダ（またはＨＤＤレコーダ）にサービス番号３２１の番組を録画したいと欲した場合、リモコン装置１０３に設けられた録画指示ボタン（図示せず）を操作することでＤＶＤレコーダなどに対してサービス番号３２１に対応するリモコンコードおよび録画を指令するリモコンコードなどが送信され、これにより、ＤＶＤレコーダなどでサービス番号３２１のサービスが録画される。
【００３８】
加えて、リモコン装置からテレビ受信機に対して送信する放送の情報としては、サービス番号に限らず、予約情報なども考えられる。
【００３９】
即ち、リモコン装置１０３で電子番組表を取得し、その電子番組表を基に録画予約、視聴予約などを設定し、その設定した予約情報をテレビ受信機１０１またはＤＶＤレコーダ、ＨＤＤレコーダなどの録画機器に対して送信することも可能である。
【００４０】
ここで、アンテナ２０３は接合部２０７によりリモコン本体背面に回動可能に取り付けられている。このような機構によりアンテナ２０３はリモコン本体のスタンドとして機能させることができる。
【００４１】
図４は、アンテナ２０３をリモコン本体２０１の上部に回動させた状態を示したものである。アンテナ２０３は接合部２０７に対してコの字型に加工され、リモコン本体２０１の上部からアンテナ２０３の一部が顔をのぞかせる長さとしている。これにより、リモコン本体２０１の上端面とアンテナ２０３との間にスペースを設けられ、このスペースにフックなどを掛けることでリモコン本体２０１をぶら下げることができるようになる。
【００４２】
尚、上記、スタンド機能とぶら下げる機能とを両立させるためには、接合部２０７をリモコン本体２０１の背面の中央部に設け、アンテナ２０３の形状を接合部２０７に対してループを描く形状（例えば、コの字型）にするのが望ましい。
【００４３】
加えて、アンテナ２０３の長さを伸縮させることができるようにするのが好ましい。この様子を図５に示す。図５は、本発明に係るリモコンの側面図である。
【図面の簡単な説明】
【００４４】
【図１】本発明の概念図である。
【図２】本発明にかかるリモコン装置の第一の外観図である。
【図３】本発明にかかるリモコン装置のブロック図である。
【図４】本発明にかかるリモコン装置の第二の外観図である。
【図５】本発明にかかるリモコン装置の第三の外観図である。
【符号の説明】
【００４５】
１０１  テレビ受信機
１０２  テレビ受信機に表示された映像
１０３  リモコン装置
１０４  リモコン装置の表示部
１０５  アンテナ
２０１  リモコン装置
２０２  リモコン装置の表示部
２０３  アンテナ
２０４  テンキー
２０５  ＴＶ／リモコン操作切り換えスイッチ
２０６  サービス番号送信ボタン
３０１  アンテナ
３０２  チューナ
３０３  映像／音声信号処理部
３０４  映像表示部
３０５  音声出力部
３０６  操作入力部
３０７  制御部
３０８  送信部
【図１】
2008113263.tif 000003
【図２】
2008113263.tif 000004
【図３】
2008113263.tif 000005
【図４】
2008113263.tif 000006
【図５】
2008113263.tif 000007